(57)【要約】【課題】  操作が容易で締付け力が高く、単品でも、または複数のナットを組み合わせても効果的に締結することができるロックナットを提供すること。【解決手段】  本発明のロックナットは、ネジ孔が軸方向中央に貫通され、外周に多角形部が形成されたロックナットにおいて、前記多角形部の水平方向に形成された切込と、前記切込の水平方向に穿孔された締結ネジ孔と、締結ネジ孔に螺着される締結ネジとを備えることを特徴とする。  また前記締結ネジ孔は、軸方向中央のネジ孔まで貫通され、ネジ孔近傍が先尖状に形成されている。さらに前記切込は、締結ネジを締め付けることにより側面方向に開口される。【選択図】図１
2013221617.tif 000002
【特許請求の範囲】
【請求項１】
ネジ孔が軸方向中央に貫通され、外周に多角形部が形成されたロックナットにおいて、前記多角形部の水平方向に形成された切込と、前記切込の水平方向に穿孔された締結ネジ孔と、締結ネジ孔に螺着される締結ネジとを備えることを特徴とするロックナット。
【請求項２】
前記締結ネジ孔は軸方向中央のネジ孔まで貫通され、ネジ孔近傍が先尖状に形成されている請求項１記載のロックナット。
【請求項３】
前記切込は、締結ネジを締め付けることにより側面方向に開口される請求項１または２に記載のロックナット。
【発明の詳細な説明】
【技術分野】
【０００１】  本発明は、締付け力が高く、単品でも、または複数組み合わせても効果的にボルトに締結することができるロックナットに関する。
【背景技術】
【０００２】  一般的に、二つ以上の部材を結合するにはボルトとナットが使用される。部材を結合するには、部材の貫通孔にボルトを挿入させ、ボルトの先端よりナットを螺着させてナットを締め付ける結合させる。【０００３】  しかし、時間が経につれて、振動の発生や部材の変形によりナットが緩み、締付効力が低下するという問題が発生する。そのため、定期的に検査を行いナットの再締付を実施しなければならなかった。
【先行技術文献】
【特許文献】
【０００４】  それらの課題を解決する従来技術として、的確な締め付けトルクでもってナットの締め付けを容易に且つ確実に行うことができ、かつ、締め付け後はいたずら等により容易に取り外すことのできないようにする取り外し防止機能を有するナット、並びに、緩み止め特殊ダブルナットがある（例えば特許文献１参照）。
上掲特許文献１の取り外し防止機能を有するナット、並びに、緩み止め特殊ダブルナットは、ネジ孔が軸方向に貫通して軸中央部に形成されたナット本体と、該ナット本体の軸方向上部に設けられた回転工具係合部と、ナット本体と回転工具係合部とを連結する連結部とを備えて一体成形され、回転工具係合部の軸中央部にネジ孔の径よりも大きな径を有する空洞を形成し、回転工具係合部に係合した回転工具により所定トルクを超える締め付けトルクで回転工具係合部を締結したときに連結部が破断して、これによりナット本体から回転工具係合部が分離されてなることを特徴とするものである。
【特許文献１】特開２００７−４０３４４号公報
【発明の概要】
【発明が解決しようとする課題】
【０００５】  しかしながら、上掲特許文献１の取り外し防止機能を有するナット、並びに、緩み止め特殊ダブルナットは、部品点数が多くなりコスト高に繋がるという欠点があった。また、ナット単品では締め付け効果を発揮することができなかった。【０００６】  そこで本発明は上記の点に鑑み、操作が容易で締付け力が高く、単品でも、または複数のナットを組み合わせても効果的に締結することができるロックナットを提供することにある。
【解決を解決するための手段】
【０００７】  上記課題を解決するために本発明のロックナットは、ネジ孔が軸方向中央に貫通され、外周に多角形部が形成されたナットにおいて、前記多角形部の水平方向に形成された切込と、前記切込の水平方向に穿孔された締結ネジ孔と、締結ネジ孔に螺着される締結ネジとを備えることを特徴とする。
【０００８】  また前記締結ネジ孔は、軸方向中央のネジ孔まで貫通され、ネジ孔近傍が先尖状に形成されている。
【０００９】  さらに前記切込は、締結ネジを締め付けることにより側面方向に開口される。
【発明の効果】
【００１０】  多角形部の水平方向に切込を形成するとともに、前記切込の水平方向に締結ネジ孔を穿孔し、かかる締結ネジ孔に締結ネジを螺着させることにより、締結ネジを締め付けた際に切込が側面方向に開口され、ナットのネジ部がボルトのネジ部に強固に螺着され、締結力を向上させることができる。
【００１１】  また、本発明のロックナットは、単品でも優れた締結力を発揮するが、汎用のナットを組み合わせることで、より高い締結力を得ることができる。
【図面の簡単な説明】
【００１２】
【図１】本発明におけるロックナットの全体斜視図である。
【図２】前記ロックナットに締結ネジを装着した状態の斜視図である。
【図３】前記ロックナットの水平方向断面図である
【図４】前記ロックナットの締結状態を示す断面図である。
【図５】締結ネジを締め付けた状態の断面図である。
【図６】ロックナットをボルトに螺着させた状態の斜視図である。
【発明を実施するための形態】
【００１３】  本発明のロックナットは、操作が容易で締付け力が高く、単品でも、または複数のナットを組み合わせても効果的に締結することができることを特徴とする。
以下、本発明のロックナットにおける実施の形態を図面に基づいて説明する。
【００１４】  図示するロックナット１は、ネジ孔２が軸方向中央に貫通され、外周に多角形部３が形成されている。また特に、前記多角形部３の略中央水平方向には、切込４が形成されている。
【００１５】  前記切込４は、図３に示すように、連結部５を介して多角形部３およびネジ孔２に亘り広範囲に形成されている。また、前記切込４の水平方向であって、前記連結部５の対向する箇所には締結ネジ孔６が穿孔されている。
【００１６】  また、前記締結ネジ孔６には締結ネジ１０が螺着される。締結ネジ１０は前記締結ネジ孔６内に螺合され、本発明のロックナット１をボルト２０に強靭に締結するものである。また締結ネジ１０の先方には、六角レンチ等の締付工具が挿入される凹部１１が形成されている。
【００１７】  また特に、図３に示すように、前記締結ネジ孔６は軸方向中央のネジ孔２まで貫通されている。前記締結ネジ孔６の外周方向７は広口状に形成されており、ネジ部８を介してネジ孔２の内周近傍９は先尖状に形成されている。
【００１８】  前記締結ネジ孔６を上述の構造とすることで、図４の（ａ）に示すように、締結ネジ孔６に締結ネジ１０を装着させ、（ｂ）に示すように、締結ネジ１０を締め付けることにより、締結ネジ１０の先部が先尖状の内周近傍９にネジ込まれ、切込４からロックナット１の側面は開口される。そのため、ロックナット１のネジ部がボルト２０のネジ部２１に強固に螺合され、締結力を向上させることができる。
【００１９】  本発明のロックナット１は、図６に示すように、ボルト２０にロックナット１を螺着させて締結ネジ１０を締め付けることで、ボルト２０に強靭に締結させることができる。
【００２０】  なお、前記ロックナット１は、単品でも優れた締結力を発揮するが、汎用のナットを組み合わせることで、締結力をより一層強く高めることができる。
【符号の説明】
【００２１】１    ロックナット
２    ネジ孔
３    多角形部
４    切込
５    連結部
６    締結ネジ孔
７    外周近傍
８    ネジ部
９    内周近傍
１０  締結ネジ
１１  凹部
２０  ボルト
２１  ネジ部
【図１】
2013221617.tif 000003
【図２】
2013221617.tif 000004
【図３】
2013221617.tif 000005
【図４】
2013221617.tif 000006
【図５】
2013221617.tif 000007
【図６】
2013221617.tif 000008